(57)【要約】【課題】電子機器の小型化及び低コスト化を図りつつ、分解時に表示パネルと保護パネルとを容易に剥離させることができる仕組みを提供する。【解決手段】電子機器の表示ユニットは、表示部４ａ、及び表示部４ａの表示領域以外の周囲を覆う枠部材４ｇを有する表示パネル４と、表示パネル４の前記表示領域の側に配置されて、表示パネル４を保護する保護パネル２と、表示パネル４と保護パネル２とを接着固定する固定部材５とを備える。固定部材５は、表面に第１の両面テープ５ｂが設けられるとともに、裏面に第１の両面テープ５ｂより粘着力が弱い第２の両面テープ５ｃが設けられ、第１の両面テープ５ｂが表示パネル４の枠部材４ｇに接着され、第２の両面テープ５ｃが保護パネル２に接着される。【選択図】図４
2013152275.tif 000002
【特許請求の範囲】
【請求項１】
表示ユニットを備える電子機器であって、
前記表示ユニットは、
表示部、及び前記表示部の表示領域以外の周囲を覆う枠部材を有する表示パネルと、
前記表示パネルの前記表示領域の側に配置され、前記表示パネルを保護する保護パネルと、
前記表示パネルと前記保護パネルとを接着固定する固定部材とを備え、
前記固定部材は、表面に第１の両面テープが設けられるとともに、裏面に前記第１の両面テープより粘着力が弱い第２の両面テープが設けられ、
前記第１の両面テープが前記表示パネルの前記枠部材に接着され、前記第２の両面テープが前記保護パネルに接着されることを特徴とする電子機器。
【請求項２】
前記表示パネルは、前記表示部の側部に電気素子が実装されるとともに、前記枠部材に前記電気素子に対応する開口部が形成されることを特徴とする請求項１に記載の電子機器。
【請求項３】
前記枠部材は、前記開口部の外側の位置に補強形状部を有し、
前記固定部材は、前記補強形状部に対向して配置されることを特徴とする請求項２に記載の電子機器。
【請求項４】
前記固定部材は、シート状基材の表面に前記第１の両面テープが設けられるとともに、前記シート状基材の裏面に前記第２の両面テープが設けられ、前記シート状基材は、前記第１及び第２の両面テープより厚く形成されていることを特徴とする請求項１乃至３のいずれか一項に記載の電子機器。
【発明の詳細な説明】
【技術分野】
【０００１】
本発明は、表示ユニットを備えるデジタルカメラ等の電子機器に関する。
【背景技術】
【０００２】
デジタルカメラ等の電子機器に搭載される表示ユニットにおいては、表示パネルにタッチパネル等の保護パネルを両面テープを用いて固定するものがある。
【０００３】
ところで、両面テープの粘着面は、表示パネル側と保護パネル側とで、同一の粘着強度を有するため、分解時に剥離する際、表示パネルと保護パネルとに均等な剥離力が作用する。
【０００４】
しかし、近年の電子機器の小型化に伴う表示パネルや保護パネルの薄型化により、表示パネルや保護パネルの剛性が低下している。このため、表示パネルと保護パネルとの間に異物が侵入する等して分解が必要となった場合に、前記剥離力により表示パネルや保護パネルが変形して破損する等のおそれがある。
【０００５】
そこで、両面テープと剥離紙とを交互に複数層貼り合せることにより、カッターなどの工具で容易にタッチパネルと表示パネルとを剥離可能にした技術が開示されている（特許文献１）。
【先行技術文献】
【特許文献】
【０００６】
【特許文献１】特開２００１−７５４９４号公報
【発明の概要】
【発明が解決しようとする課題】
【０００７】
しかし、上記特許文献１では、両面テープと剥離紙とを交互に複数層貼り合せることで厚みが増大するため、表示ユニットの厚さが増大して電子機器の小型化を妨げる原因になる。また、両面テープと剥離紙とを交互に複数層貼り合せる工数と両面テープと剥離紙の材料費も要するため、電子機器のコストアップにつながる。
【０００８】
そこで、本発明は、電子機器の小型化及び低コスト化を図りつつ、分解時に表示パネルと保護パネルとを容易に剥離させることができる仕組みを提供することを目的とする。
【課題を解決するための手段】
【０００９】
上記目的を達成するために、本発明は、表示ユニットを備える電子機器であって、前記表示ユニットは、表示部、及び前記表示部の表示領域以外の周囲を覆う枠部材を有する表示パネルと、前記表示パネルの前記表示領域の側に配置され、前記表示パネルを保護する保護パネルと、前記表示パネルと前記保護パネルとを接着固定する固定部材とを備え、前記固定部材は、表面に第１の両面テープが設けられるとともに、裏面に前記第１の両面テープより粘着力が弱い第２の両面テープが設けられ、前記第１の両面テープが前記表示パネルの前記枠部材に接着され、前記第２の両面テープが前記保護パネルに接着されることを特徴とする。
【発明の効果】
【００１０】
本発明によれば、電子機器の小型化及び低コスト化を図りつつ、分解時に表示パネルと保護パネルとを容易に剥離させることができる。
【図面の簡単な説明】
【００１１】
【図１】本発明の電子機器の実施形態の一例であるデジタルカメラを背面側から見た図である。
【図２】表示ユニットの分解斜視図である。
【図３】表示パネルとタッチパネルとを固定部材を用いて接着固定する前の状態を示す斜視図である。
【図４】図１に示すデジタルカメラの表示ユニットにおける左右方向の部分断面図である。
【図５】図１に示すデジタルカメラの表示ユニットにおける上下方向の部分断面図である。
【発明を実施するための形態】
【００１２】
以下、本発明の実施形態の一例を図面を参照して説明する。
【００１３】
図１は本発明の電子機器の実施形態の一例であるデジタルカメラを背面側から見た図、図２は表示ユニットの分解斜視図である。
【００１４】
図１及び図２に示すように、本実施形態のデジタルカメラは、カメラ本体１０の背面カバー３とメインシャーシ６との間に表示ユニット１が設けられている。表示ユニット１は、背面カバー３からメインシャーシ６に向けて順番に配置された弾性部材７、タッチパネル２、固定部材５、及び表示パネル４を備える。なお、説明の便宜上、タッチパネル２、表示パネル４、固定部材５、及び弾性部材７の順に説明する。
【００１５】
タッチパネル２は、ユーザ操作によるタッチ入力を受ける入力部２ａと、抵抗膜の感圧に基づく電圧信号を導出するフレキシブルプリント基板２ｂと、入力部２ａ及びフレキシブルプリント基板２ｂが貼り付けられるベース部２ｃとを備える。ここで、タッチパネル２は、本発明の保護パネルの一例に相当する。
【００１６】
ベース部２ｃは、本実施形態では、可撓性を有するガラス製のものが用いられる。そして、タッチパネル２は、背面カバー３の開口部３ａから入力部２を露出させた状態で背面カバー３に嵌合されることで、カメラ本体１０の上下方向の位置決めがなされる。
【００１７】
表示パネル４は、液晶等の表示部４ａを備え、表示部４ａの側部には、駆動用チップ４ｂを実装したガラス基板４ｃが配置され、ガラス基板４ｃには、表示駆動信号線を導出するフレキシブルプリント基板４ｄが接続されている。駆動用チップ４ｂは、本発明の電気素子の一例に相当する。
【００１８】
表示部４ａの裏面側には、不図示のバックライト装置を保持するバックライト保持部材４ｅが設けられ、また、表示部４ａの表示面側には、表示部４ａの表示領域以外の周囲を覆う矩形状の枠部材４ｇが設けられている。
【００１９】
バックライト保持部材４ｅの周囲には、複数の係止突起４ｆが設けられ、枠部材４ｇには、複数の係止突起４ｆに対応する複数の係止穴４ｈが設けられている。複数の係止突起４ｆを複数の係止穴４ｈに係止することで、バックライト保持部材４ｅと枠部材４ｇとが固定される。枠部材４ｇには、駆動用チップ４ｂに対応する開口部４ｋが形成されており、これにより、互いの厚み分の干渉を回避して表示パネル４の総厚の低減に寄与している。
【００２０】
固定部材５は、矩形枠状に形成され、タッチパネル２と表示パネル４に接着固定されて、両者の間を密閉し、異物等の侵入を防止する。なお、固定部材５の詳細については、後述する。
【００２１】
弾性部材７は、背面カバー３に複数貼り付けられ、背面カバー３をメインシャーシ６に組み付けると、タッチパネル２のベース部２ｃと背面カバー３との間で圧縮され、その反発力でベース部材２ｃをメインシャーシ６側へ押し込む。これにより、タッチパネル２及び固定部材５を介して互いに接着固定されたタッチパネル２及び表示パネル４がデジタルカメラ１の厚み方向に押し込まれてガタ付きが防止される。
【００２２】
図３は、表示パネル４とタッチパネル２とを固定部材５を用いて接着固定する前の状態を示す斜視図である。
【００２３】
表示パネル４とタッチパネル２とを固定部材５を用いて接着固定する工程は、カメラ本体１０の組立工程とは別工程とすることが可能である。本実施形態では、表示パネル４の枠部材４ｇに固定部材５を接着した後、タッチパネル２のベース部２ｃを固定部材５に接着する。
【００２４】
図４は、図１に示すデジタルカメラの表示ユニット１における左右方向の部分断面図である。前述したように、表示パネル４のガラス基板４ｃには、フレキシブルプリント基板４ｄが接続されており、この接続部分には、枠部材４ｇの端部が配置されている。この枠部材４ｇの端部は、例えばへミング曲げ加工等で略１８０°折り曲げられて補強形状部４ｍとされている。補強形状部４ｍは、枠部材４ｇの補強以外に、曲げ部分によりフレキシブルプリント基板４ｄに傷が付くのを防止する効果がある。
【００２５】
固定部材５は、シート状基材の一例としてのＰＥＴシート５ａの表面に両面テープ５ｂが貼り付けられ、ＰＥＴシート５ａの裏面に両面テープ５ｂに比べて粘着力が弱い両面テープ５ｃが貼り付けられている。ここで、両面テープ５ｂは、本発明の第１の両面テープの一例に相当し、両面テープ５ｃは、本発明の第２の両面テープの一例に相当する。
【００２６】
本実施形態では、両面テープ５ｂの粘着力を両面テープ５ｃの２倍程度としている。そして、固定部材５の粘着力の強い両面テープ５ｂを表示パネル４の枠部材４ｇに接着し、粘着力の弱い両面テープ５ｃをタッチパネル２のベース部２ｃに接着することで、表示パネル４とタッチパネル２とが接着固定される。
【００２７】
ここで、固定部材５の粘着力の強い両面テープ５ｂを表示パネル４の枠部材４ｇに接着する際には、固定部材５を枠部材４ｇの駆動用チップ４ｂに対応する開口部４ｋの外側（図の右側）の位置に補強形状部４ｍに対向させて配置する。これは、枠部材４ｇの開口部４ｋの内側には、表示部４ａがあるため、厚み方向の限られたスペースでの補強形状部４ｍの形成ができず、枠部材４ｇの剛性が不足するからである。
【００２８】
そして、タッチパネル２と表示パネル４との隙間に異物が侵入する等して分解が必要となった場合は、可撓性を有するタッチパネル２のベース部２ｃの外形部分を掴んで引き剥がす。
【００２９】
このとき、粘着力の低い両面テープ５ｃで接着されたベース部２ｃだけが剥がれるため、固定部材５は、粘着力の強い両面テープ５ｂで接着された表示パネル４側に残る。異物等を除去した後においては、固定部材５の層間剥離もないため、固定部材５を交換することなく、再度タッチパネル２のベース部２ｃを固定部材５の両面テープ５ｃに接着することができる。
【００３０】
固定部材５の層間剥離がないのは、固定部材５のＰＥＴシート５ａとタッチパネル２のガラス製のベース部２ｃとでは、ＰＥＴシート５ａの方が両面テープ５ｃの粘着力が相対的に強いため、ＰＥＴシート５ａよりも先にベース部２ｃが剥離するからである。
【００３１】
両面テープ５ｂ，５ｃの粘着力を均一にした場合、分解時のベース部２ｃの撓み量に表示パネル４が追従し、ベース部２ｃより剛性が低い枠部材４ｇに塑性変形が生じてバックライト保持部材４ｅとの嵌合が外れる可能性がある。また、両面テープ５ｂ，５ｃの粘着力の強弱を逆にした場合も同様に、分解時のベース部２ｃの撓み量に表示パネル４が低い粘着力分だけ追従して撓み、枠部材４ｇに塑性変形が生じる可能性がある。
【００３２】
また、本実施形態では、固定部材５のＰＥＴシート５ａの厚さを両面テープ５ｂ，５ｃに比べて厚くし、表示パネル４の表示部４ａとタッチパネル２のベース部２ｃとの間に隙間を確保している。これにより、変形等で表示部４ａとベース部２ｃとが接触することで生じるニュートンリング等の干渉縞の発生を防止することができる。
【００３３】
図５は、図１に示すデジタルカメラの表示ユニット１における上下方向の部分断面図である。図５に示すように、枠部材４ｇの周囲は略直角に折り曲げられて、強度が確保されており、この折り曲げ部分に、前述した係止穴４ｈが形成されている。この係止穴４ｈは、枠部材４ｂの開口部４ｋが形成された辺以外の３辺についてそれぞれ複数箇所設けられている。これらの係止穴４ｈに、係止穴４ｈに対応して形成されたバックライト保持部材４ｅの係止突起４ｆを係止することで、枠部材４ｇとバックライト保持部材４ｅとが強固に結合され、これにより、分解時の変形が防止される。
【００３４】
以上説明したように、本実施形態では、固定部材５の表裏面に配置される両面テープ５ｂ，５ｃの粘着力を異ならせ、粘着力の強い両面テープ５ｂを表示パネル４に接着し、粘着力の弱い両面テープ５ｃをタッチパネル２に接着している。これにより、デジタルカメラの小型化及び低コスト化を図りつつ、分解時に表示パネル４ａとタッチパネル２とを容易に剥離させることができる。
【００３５】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３６】
１  表示ユニット
２  タッチパネル
４  表示パネル
４ａ  表示部
４ｇ  枠部材
５  固定部材
５ａ  ＰＥＴシート
５ｂ  両面テープ
５ｃ  両面テープ
【図１】
2013152275.tif 000003
【図２】
2013152275.tif 000004
【図３】
2013152275.tif 000005
【図４】
2013152275.tif 000006
【図５】
2013152275.tif 000007